(57)【特許請求の範囲】
【請求項１】
耕耘軸（１）の周囲に耕耘爪取付用のソケット（６〜９）を設け、これらソケット（６〜９）に爪先部を軸方向へ曲げた耕耘爪（２〜５）を取付けると共に、前記耕耘軸（１）の上部を耕耘カバー（２３）で覆い、この耕耘カバー（２３）の後端部にゴム板（２４）を介してリヤカバー（２５）を取付けるロータリ耕耘装置において、
前記リヤカバー（２５）を、前記耕耘カバー（２３）左右中央部のボール軸（２８）にて軸受けされたアーム（２７）と、同カバー（２３）の左右両側部の規制板（３８，３８）とで連結し、一定範囲内でローリング自在に支持し、
前記耕耘軸（１）の左右両端部には、同一回転面に１８０度の角度をずらせて２つのソケット（６，６）（７，７）を設け、同ソケット（６，６）（７，７）に爪先を内側に向けた耕耘爪（２）（３）を取付け、
前記左右両端部のソケット（６，６）（７，７）間には、同一回転面に９０度の角度をずらせて４つのソケット（８，９，８，９）を設け、同ソケット（８，９，８，９）に刃先を左側に向けた耕耘爪（４）と右側に向けた耕耘爪（５）とを交互に取付けると共に、前記左右両端部及び中間部の各隣合うソケット（６〜９）同士は左右一定の間隔で３０度〜６０度の適宜の位相をずらせて配置したことを特徴とするロータリ耕耘装置。
【発明の詳細な説明】
【０００１】
【発明の属する技術分野】
この発明は、ロータリ耕耘装置に関し、耕耘細土の均一化を高めようとする。
【０００２】
【発明が解決しようとする課題】
ロータリ耕耘装置では、耕耘爪を耕耘軸回りに均一に配置することによって、駆動トルクの変化を少くすることができるが、耕耘爪の爪先の曲り方向の組合せ等によっては、大きい土塊を生じる場合が有る。
【０００３】
【課題を解決するための手段】
この発明は、耕耘軸（１）の周囲に耕耘爪取付用のソケット（６〜９）を設け、これらソケット（６〜９）に爪先部を軸方向へ曲げた耕耘爪（２〜５）を取付けると共に、前記耕耘軸（１）の上部を耕耘カバー（２３）で覆い、この耕耘カバー（２３）の後端部にゴム板（２４）を介してリヤカバー（２５）を取付けるロータリ耕耘装置において、
前記リヤカバー（２５）を、前記耕耘カバー（２３）左右中央部のボール軸（２８）にて軸受けされたアーム（２７）と、同カバー（２３）の左右両側部の規制板（３８，３８）とで連結し、一定範囲内でローリング自在に支持し、
前記耕耘軸（１）の左右両端部には、同一回転面に１８０度の角度をずらせて２つのソケット（６，６）（７，７）を設け、同ソケット（６，６）（７，７）に爪先を内側に向けた耕耘爪（２）（３）を取付け、
前記左右両端部のソケット（６，６）（７，７）間には、同一回転面に９０度の角度をずらせて４つのソケット（８，９，８，９）を設け、同ソケット（８，９，８，９）に刃先を左側に向けた耕耘爪（４）と右側に向けた耕耘爪（５）とを交互に取付けると共に、前記左右両端部及び中間部の各隣合うソケット（６〜９）同士は左右一定の間隔で３０度〜６０度の適宜の位相をずらせて配置したことを特徴とするロータリ耕耘装置とする。
【０００４】
【発明の効果】
このように、耕耘軸（１）の左右両端部には、同一回転面に１８０度の角度をずらせて２つのソケット（６，６）（７，７）を設け、同ソケット（６，６）（７，７）に爪先を内側に向けた耕耘爪（２）（３）を取付け、
前記左右両端部のソケット（６，６）（７，７）間には、同一回転面に９０度の角度をずらせて４つのソケット（８，９，８，９）を設け、同ソケット（８，９，８，９）に刃先を左側に向けた耕耘爪（４）と右側に向けた耕耘爪（５）とを交互に取付けると共に、前記左右両端部及び中間部の各隣合うソケット（６〜９）同士は左右一定の間隔で３０度〜６０度の適宜の位相をずらせて配置したものであるから、耕耘時のトルク変動を低減しつつ、耕耘幅全面に亘って土壌を均一に細砕でき、大きな土塊を残すことが少く、圃場を均平化できる。
また前記リヤカバー（２５）は、前記耕耘カバー（２３）左右中央部のボール軸（２８）にて軸受けされたアーム（２７）と、同カバー（２３）の左右両側部の規制板（３８，３８）とで連結したものであるから、一定範囲内でローリング自在に支持され、前記の細砕された土壌を車体の振れに関わらず均平化することができる。
【０００５】
【実施例】
ロータリ耕耘装置１０は、四輪走行形態のトラクタ車体１１の後部に、油圧シリンダによって上下回動されるリフトアーム１２とリフトロッド１３を介して上下動されるロアリンク１４と、トップリンク１５とによる三点リンク機構で連結されて昇降される。車体１１側の動力取出軸１６から伝動軸１７を介して伝動される入力軸１８を有した伝動ケース１９の左右両側部には、耕耘軸１の両端部を軸受するサイドケース２０とサイドアーム２１とを設け、該入力軸１８から内部の伝動機構を経て耕耘軸１を側部駆動できる。２２は該伝動ケース１９上のマストで、前記トップリンク１５を連結すると共に、ロータリ耕耘装置１０の後部に装着するアタッチメントの連結等に用いられる。
【０００６】
ロータリ耕耘装置１０の耕耘軸１にはソケット６〜９が放射状に配置されて、耕耘爪２〜５が取付けられる。ソケット６は、耕耘軸１の左端のサイドケース２０寄りの端部回転面Ｌ上にほぼ二等分角、即ち１８０度の角度間隔のもとに配置固定される。このソケット６は、これら二個所以外に１〜２個増加配置するもよい。又、右端のサイドアーム２１寄りの端部回転面Ｒ上に配置するソケット７も同様である。
【０００７】
これら左右の端部ソケット６，７間に配置のソケット８，９は、耕耘軸１の方向に亘って一定の間隔の各中部回転面Ｍ１〜Ｍ８毎に配置される。この各中部回転面Ｍ毎に配置されるソケット６，７はほぼ四等分角、即ち９０度の角度間隔のもとに配置固定される。これら各中部回転面Ｍ１〜Ｍ８におけるソケット８と９は、同一構成であるが、耕耘軸１の回りにおいて交互に配置され、ソケット８相互間は１８０度間隔を保ち、ソケット９相互間も１８０度の間隔を保って設けられる。
【０００８】
しかも、これら隣接相互間の各回転転位Ｌ，Ｍ１，・・・Ｍ８，Ｒの各ソケット６〜９の関係位置は、３０〜６０度の適宜角度の位相をずらせて配置している。前記各ソケット６〜９に取付ける耕耘爪２〜５は、爪先部を軸方向へ曲げたなた爪の形態とし、この曲げ幅Ｂは前記軸方向に相隣合うソケット間の間隔部Ａの１／２よりも若干短かくてＢ＜１／２Ａに設定している。このため、隣接のソケットに爪先部を相対向させた状態にして耕耘爪を取付けて、これら耕耘爪の爪先部の回転軌跡が軸方向に接近する。
【０００９】
又、端部回転面Ｌ，Ｒのソケット６，７に取付ける耕耘爪２，３は、爪先の屈曲方向を互に内側に向けて、耕耘爪２と３とでは左右対称形状に構成される。又、耕耘爪２，３の中間部である腰部は外側へ湾曲して、サイドケース２０やサイドフレーム２１等の内側面に接近して回転しうる形成としている。中部回転面Ｍのソケット８，９に取付ける耕耘爪４と５とは、該耕耘爪２，３と同様に爪先部の曲げ方向を左右に対称形状に形成したもので、左向き曲りの耕耘爪４は同じ中部回転面Ｍのソケット８に取付けられ、右向き曲りの耕耘爪５はソケット９に取付けられる。
【００１０】
前記のような耕耘爪２〜５の配置では、各耕耘爪２〜５の爪先部が、この回転軌跡によって形成される円筒形状の耕耘回転面に均一に配置され、前記各耕耘爪２〜５の配置の位相差と爪先の曲り方向の組合せ等により、耕耘時のトルク変動を少くして、土壌の細砕を行うことができ、耕耘土壌面の仕上げを均一化することができる。
【００１１】
前記各耕耘爪２〜５を配置する耕耘軸１の上部を覆う耕耘カバー２３が、左右のサイドケース２０とサイドフレーム２１との間に亘って取付けられ、この耕耘カバー２３の後端部にゴム板２４を介在させて上下動自在のリヤカバー２５が連結され、この後端の均平部２６を耕耘土壌面に圧接させることによって平坦面に均平できる。２７はこのリヤカバー２５を一体として耕耘カバー２３の後端部横方向のカバー軸２８回りに上下回動させるカバーアームであり、２９は耕耘カバー２３のスライドブラケット３０とリヤカバー２５のブラケット３１との間に亘って設けられるスライド杆で、スライドブラケット３０の前後両側部にばね３２，３３を介在させて、リヤカバー２５を一定高さの中立位置に維持するように弾発させている。
【００１２】
図３は、前記ソケットを増加配置する場合を示し、この際、同回転面上に配置する二本の耕耘爪４と５が、回転方向に接近して設けられ、両ソケット８，９が回転方向に接近して干渉した形態となるときは、片側のソケット９をソケット８に対して軸方向へ偏位させて取付ける構成としている。これにより、ソケット８，９の一部を切り欠くような特殊構成を要せず、構成を簡単化できる。しかも、この偏位側のソケット９に爪身の途中部を側方へ湾曲した耕耘爪５を取付けることにより、耕耘爪４，５による耕耘幅内に残耕部を生じない。耕耘爪４は爪先を側方へ湾曲したなた爪である。左右両端部の耕耘爪２，３も耕耘爪５と同様の形態である。
【００１３】
図４〜図６において、上例と異なる点は、前記ゴム板２４を介して耕耘カバー２３に連結されるリヤカバー２５は、均平部２６の均平面に伴ってローリング自在に設けられていて、このゴム板２４の左右両側端縁３４は、耕耘カバー２３の左右両側面部を覆うサイドカバー３５の内側面に摺接乃至接近させている。このサイドカバー３５の後端にはリヤカバー３６が締付具３７によって取付けられて、上下回動するリヤカバー２５の左右両側部の開口部を覆うものである。
【００１４】
前記カバーアーム２７は、左右両端部にリヤカバー２５を固定し、中央部をカバー軸２８でボール軸受によってローリング自在にして連結され、スライド杆２９及びこのばね３２，３３等による弾発機構は、耕耘カバー２３及びリヤカバー２５に対して左右対称状に構成される。３８はローリング規制を行う規制板で、耕耘カバー２３とリヤカバー２５との間を左右両側部において連結し、リヤカバー２５のローリング限界位置では、この規制板３８の引っ張りによってそれ以上のローリングを行わせないように規制する。
【００１５】
耕耘作業中にリヤカバー２５の均平部２６が耕耘土壌面を均平するとき、このリヤカバー２５が耕耘カバー２３に対してカバー軸２８部の回りにローリングされることがある。このとき、サイドカバー３５の内面に沿ってゴム板２４の側端縁３４が摺動するため、この間の間隙が少く耕耘土壌が耕耘カバー２３やゴム板２４等の上面に飛散滞積されることが少い。
【００１６】
前記ゴム板２４は、リヤカバー２５の上下動によって歪み、カバー軸２８部を中心に上動したときは引っ張られて伸びるが、均平作用位置に下動したときは、上側へ湾曲してカバーアーム２７の下側に接近するようになる。このため、カバー軸２８部の後側に、カバーアーム２７を上側へ屈曲させてゴム板収納スペースＣを形成したものである。このためゴム板２４の耕耘カバー２３への連結部３９に対して、カバー軸２８は上側位置に設けられて、更にこの後位で該カバーアーム２７が上側へ湾曲されて、収納スペースＣを広く構成できる。４０はゴム板２４とリヤカバー２５との連結部である。
【図面の簡単な説明】
【図１】耕耘軸部の一部展開する背面図と側面図、及びその一部の拡大図。
【図２】ロータリ耕耘装置の側面図。
【図３】一部別実施例を示す耕耘軸部の展開背面図と、一部の拡大斜視図。
【図４】一部別実施例を示す耕耘カバー部の側面図。
【図５】その一部の平面図。
【図６】その一部の作用を示す側面図。
【符号の説明】
１    耕耘軸
２    耕耘爪
３    耕耘爪
４    耕耘爪
５    耕耘爪
６    ソケット
７    ソケット
８    ソケット
９    ソケット
Ｌ    左端部回転面
Ｒ    右端部回転面
Ｍ    中部回転面
【図１】
0003617238.tif 000002
【図２】
0003617238.tif 000003
【図３】
0003617238.tif 000004
【図４】
0003617238.tif 000005
【図５】
0003617238.tif 000006
【図６】
0003617238.tif 000007